(57)【特許請求の範囲】
【請求項１】
支柱に横部材を取り付けるための防護柵用横部材取付金具であり、前記支柱を挟むようにして前記支柱に取り付けられる一対の横部材取付金具本体からなり、前記横部材取付金具本体の中央部の内面には、前記支柱に係合するための係合部が形成されている防護柵用横部材取付金具において、
前記支柱には、開口が形成され、前記係合部は、前記横部材取付金具本体の一部を前記支柱側に押し出し加工することにより形成されたエンボスからなり、前記エンボスは、前記開口に挿入され、前記エンボスには、前記開口に係合する爪が形成されていることを特徴とする防護柵用横部材取付金具。
【請求項２】
前記爪は、前記エンボスの下部の一部を打ち抜き、打ち抜いた部分を前記支柱側に逆Ｌ字状に折り曲げることにより形成されていることを特徴とする、請求項１に記載の防護柵用横部材取付金具。
【請求項３】
前記爪は、前記エンボスの頂部の下部を外方に突出させることにより形成されていることを特徴とする、請求項１に記載の防護柵用横部材取付金具。
【請求項４】
前記爪は、前記エンボスの頂部に固定され、下部が前記頂部から下方に突出した板材により形成されていることを特徴とする、請求項１に記載の防護柵用横部材取付金具。
【請求項５】
前記板材は、平面状に形成されていることを特徴とする、請求項４に記載の防護柵用横部材取付金具。
【請求項６】
前記板材は、前記支柱の内面に沿って円弧状に湾曲して形成されていることを特徴とする、請求項４に記載の防護柵用横部材取付金具。
【請求項７】
前記横部材取付金具本体の両端下部には、前記横部材の仮置き部が形成されていることを特徴とする、請求項１から６の何れか１つに記載の防護柵用横部材取付金具。
【請求項８】
前記横部材取付金具本体の両端上部には、前記横部材の端部が挿入される切り欠きが形成されていることを特徴とする、請求項１から７の何れか１つに記載の防護柵用横部材取付金具。
【請求項９】
前記支柱と前記横部材取付金具本体との間には、前記横部材取付金具本体を前記支柱に取り付けた後、前記横部材取付金具本体が前記エンボスを中心として垂直面内において傾斜可能な間隔が形成されていることを特徴とする、請求項１から８の何れか１つに記載の防護柵用横部材取付金具。
【請求項１０】
前記仮置き部間には、間隔が形成されていることを特徴とする、請求項７から９の何れか１つに記載の防護柵用横部材取付金具。
【請求項１１】
前記横部材は、横ビームからなっていることを特徴とする、請求項１から１０の何れか１つに記載の防護柵用横部材取付金具。
【発明の詳細な説明】
【技術分野】
【０００１】
この発明は、防護柵用横部材取付金具、特に、支柱への横部材の取り付けが容易に行え、しかも、外観に優れた防護柵用横部材取付金具に関するものである。
【背景技術】
【０００２】
防護柵は、例えば、支柱と支柱間に取り付けられた横部材とからなり、歩行者の路外転落や車道への立ち入りを防止する目的で設置される。
【０００３】
このような防護柵において、支柱に横部材を取り付けるための防護柵用横部材取付金具の一例が特許文献１に開示されている。以下、この防護柵用横部材取付金具を従来取付金具Ａといい、図面を参照しながら説明する。
【０００４】
図１６は、従来取付金具Ａによる支柱と横部材との取り付け部分を示す分解斜視図である。
【０００５】
図１６に示すように、従来取付金具Ａは、両側下部に受け部２４が形成された受け金具２３と、両側上部に被せ部２６が形成された被せ金具２５とからなっている。
【０００６】
従来取付金具Ａにより支柱２１に横部材２２を取り付けるには、図１６に示すように、まず、受け金具取付ボルト２７を支柱２１の背面側に形成されたボルト孔（図示せず）と、支柱２１の正面側に形成されたボルト孔２８と、支柱２１の正面側に当接した受け金具２３に形成されたボルト孔２９とに挿通し、ナット３０により受け金具２３を支柱２１に固定する。
【０００７】
次に、受け金具２３の受け部２４に横部材２２の端部を載置して、横部材２２を受け金具２３に仮置きする。
【０００８】
そして、被せ金具２５の被せ部２６を横部材２２の端部に被せると共に、被せ金具２５を支柱２１に当接し、横部材取付ボルト３１を被せ金具２５のボルト孔３２と、横部材２２の端部に形成されたボルト孔３３と、受け金具２３の端部に形成されたボルト孔３４とに挿通し、ナット３５により横部材２２を受け金具２３および被せ金具２５を介して支柱２１に取り付ける。この際、被せ金具２５に形成された貫通孔３６は、受け金具取付ボルト２７の頭部より大きく形成されているので、横部材２２を受け金具２３に仮置きした後、被せ金具２５を支柱２１に固定することができる。
【０００９】
支柱に横部材を取り付けるための防護柵用横部材取付金具の別の例が特許文献２に開示されている。以下、この防護柵用横部材取付金具を従来取付金具Ｂといい、図面を参照しながら説明する。
【００１０】
図１７は、従来取付金具Ｂを示す斜視図である。
【００１１】
図１７に示すように、従来取付金具Ｂは、支柱３７との当接面３８が凹没して形成され、上面に横部材取付ボルトのボルト孔３９が形成されているものからなっている。
【００１２】
従来取付金具Ｂにより横部材４０を支柱３７に水平に取り付けるには、図１８示すように、従来取付金具Ｂを支柱３７に固定ボルト４１よって水平に固定する。
【００１３】
従来取付金具Ｂにより横部材４０を支柱３７に傾斜して取り付けるには、図１９に示すように、従来取付金具Ｂを垂直面内において当接面３８にそって傾斜させ、固定ボルト４１よって固定する。
【００１４】
横部材４０を水平面内において角度をつけて取り付けるには、図２０に示すように、従来取付金具Ｂを水平面内において当接面３８に沿って回転させ、固定ボルト４１によって固定する。
【先行技術文献】
【特許文献】
【００１５】
【特許文献１】特開２００８−３１８２４号公報
【特許文献２】実開昭６２−１９６２２３号公報
【発明の概要】
【発明が解決しようとする課題】
【００１６】
上述した従来取付金具Ａによれば、受け金具２３に横部材２２を仮置きすることができるので、支柱２１への横部材２２の取り付けが容易に行えるが、受け金具取付ボルト２７が不可欠であるので、外観が悪いと共に、材料費がかかる。
【００１７】
上述した従来取付金具Ｂによれば、固定ボルト４１が露出しないので、外観は、優れているが、固定ボルト４１が不可欠であるので、材料費がかかる。しかも、固定ボルト４１の締結作業がやりずらいので、支柱３７への横部材４０の取り付けに時間を要する。
【００１８】
従って、この発明の目的は、横部材の仮置きができるので、支柱への横部材の取り付けが容易に行え、しかも、支柱に横部材取付金具を固定する横部材取付金具用固定ボルトが不要であるので、この点からも支柱への横部材の取り付けが容易に行えると共に、外観に優れ、さらに、コスト低減を図ることができる防護柵用横部材取付金具を提供することにある。
【課題を解決するための手段】
【００１９】
この発明は、上記目的を達成するためになされたものであって、下記を特徴とする。
【００２０】
請求項１記載の発明は、支柱に横部材を取り付けるための防護柵用横部材取付金具であり、前記支柱を挟むようにして前記支柱に取り付けられる一対の横部材取付金具本体からなり、前記横部材取付金具本体の中央部の内面には、前記支柱に係合するための係合部が形成されている防護柵用横部材取付金具において、前記支柱には、開口が形成され、前記係合部は、前記横部材取付金具本体の一部を前記支柱側に押し出し加工することにより形成されたエンボスからなり、前記エンボスは、前記開口に挿入され、前記エンボスには、前記開口に係合する爪が形成されていることに特徴を有するものである。
【００２１】
請求項２記載の発明は、請求項１に記載の発明において、前記爪は、前記エンボスの下部の一部を打ち抜き、打ち抜いた部分を前記支柱側に逆Ｌ字状に折り曲げることにより形成されていることに特徴を有するものである。
【００２２】
請求項３記載の発明は、請求項１に記載の発明において、前記爪は、前記エンボスの頂部の下部を外方に突出させることにより形成されていることに特徴を有するものである。
【００２３】
請求項４記載の発明は、請求項１に記載の発明において、前記爪は、前記エンボスの頂部に固定され、下部が前記頂部から下方に突出した板材により形成されていることに特徴を有するものである。
【００２４】
請求項５記載の発明は、請求項４に記載の発明において、前記板材は、平面状に形成されていることに特徴を有するものである。
【００２５】
請求項６記載の発明は、請求項４に記載の発明において、前記板材は、前記支柱の内面に沿って円弧状に湾曲して形成されていることに特徴を有するものである。
【００２６】
請求項７記載の発明は、請求項１から６の何れか１つに記載の発明において、前記横部材取付金具本体の両端下部には、前記横部材の仮置き部が形成されていることに特徴を有するものである。
【００２７】
請求項８記載の発明は、請求項１から７の何れか１つに記載の発明において、前記横部材取付金具本体の両端上部には、前記横部材の端部が挿入される切り欠きが形成されていることに特徴を有するものである。
【００２８】
請求項９記載の発明は、請求項１から８の何れか１つに記載の発明において、前記支柱と前記横部材取付金具本体との間には、前記横部材取付金具本体を前記支柱に取り付けた後、前記横部材取付金具本体が前記エンボスを中心として垂直面内において傾斜可能な間隔が形成されていることに特徴を有するものである。
【００２９】
請求項１０に記載の発明は、請求項７から９の何れか１つに記載の発明において、前記仮置き部間には、間隔が形成されていることに特徴を有するものである。
【００３０】
請求項１１に記載の発明は、請求項１から１０の何れか１つに記載の発明において、前記横部材は、横ビームからなっていることに特徴を有するものである。
【発明の効果】
【００３１】
この発明によれば、横部材取付金具本体の支柱との当接面にエンボスを設け、このエンボスを支柱に形成された開口に係合させることによって、横部材取付金具用固定ボルトを使用することなく、支柱に横部材取付金具を取り付けることができる。この結果、支柱への横部材の取り付けが容易に行えると共に、外観に優れ、しかも、コストの低減を図ることができる。
【００３２】
また、この発明によれば、横部材取付金具本体の両端下部に横部材の仮置き部が形成されているので、支柱への横部材の取り付けが容易に行える。
【００３３】
また、この発明によれば、横部材取付金具本体の両端上部コーナー部に横部材の端部が挿入される切り欠きを形成することによって、横部材取付金具への横部材の仮置きが容易に行える。
【００３４】
また、この発明によれば、支柱と横部材取付金具本体との間に、横部材取付金具本体を支柱に取り付けた後、横部材取付金具本体がエンボスを中心として垂直面内において傾斜可能な間隔を形成することによって、横部材を支柱に傾斜させて取り付けることができる。
【００３５】
また、この発明によれば、仮置き部間に間隔を形成することによって、横部材に縦桟を取り付ける場合に、縦桟と横部材取付金具との干渉を防止することができる。
【図面の簡単な説明】
【００３６】
【図１】この発明の防護柵用横部材取付金具による支柱への横部材の取り付け方法を示す平面図である。
【図２】この発明の防護柵用横部材取付金具による支柱への横部材の取り付け方法を示す正面図である。
【図３】この発明の防護柵用横部材取付金具による支柱への横部材の取り付け方法を示す側面図である。
【図４】この発明の防護柵用横部材取付金具におけるエンボスに形成された爪を示す側面図である。
【図５】この発明の防護柵用横部材取付金具により支柱に横部材を取り付けた状態を斜め上方から見た斜視図である。
【図６】この発明の防護柵用横部材取付金具により支柱に横部材を取り付けた状態を斜め上方から見た別の斜視図である。
【図７】この発明の防護柵用横部材取付金具により支柱に横部材を取り付けた状態を斜め下方から見た斜視図である。
【図８】この発明の防護柵用横部材取付金具におけるエンボスを示す図であり、（ａ）は、平面図、（ｂ）は、正面図、（ｃ）は、側面図である。
【図９】図８に示すエンボスによる支柱への係合状態を示す図であり、（ａ）は、平面図、（ｂ）は、正面図、（ｃ）は、側面図である。
【図１０】この発明の防護柵用横部材取付金具におけるさらに別のエンボスを示す図であり、（ａ）は、平面図、（ｂ）は、正面図、（ｃ）は、側面図である。
【図１１】図１０に示すエンボスによる支柱への係合状態を示す図であり、（ａ）は、平面図、（ｂ）は、正面図、（ｃ）は、側面図である。
【図１２】この発明の防護柵用横部材取付金具におけるさらに別のエンボスを示す図であり、（ａ）は、平面図、（ｂ）は、正面図、（ｃ）は、側面図である。
【図１３】図１２に示すエンボスによる支柱への係合状態を示す図であり、（ａ）は、平面図、（ｂ）は、正面図、（ｃ）は、側面図である。
【図１４】この発明の防護柵用横部材取付金具におけるさらに別のエンボスを示す図であり、（ａ）は、平面図、（ｂ）は、正面図、（ｃ）は、側面図である。
【図１５】図１４に示すエンボスによる支柱への係合状態を示す図であり、（ａ）は、平面図、（ｂ）は、正面図、（ｃ）は、側面図である。
【図１６】従来取付金具Ａによる支柱と横部材との取り付け部分を示す分解斜視図である
【図１７】従来取付金具Ｂを示す斜視図である。
【図１８】従来取付金具Ｂにより横部材を支柱に水平に取り付けた状態を示す正面図である。
【図１９】従来取付金具Ｂにより横部材を支柱に傾斜して取り付けた状態を示す正面図である。
【図２０】従来取付金具Ｂにより横部材を水平面内において角度をつけて支柱に取り付けた状態を示す正面図である。
【発明を実施するための形態】
【００３７】
この発明の防護柵用横部材取付金具の一実施態様を、図面を参照しながら説明する。
【００３８】
図１は、この発明の防護柵用横部材取付金具により支柱に横部材を取り付けた状態を示す平面図、図２は、この発明の防護柵用横部材取付金具により支柱に横部材を取り付けた状態を示す正面図、図３は、この発明の防護柵用横部材取付金具により支柱に横部材を取り付けた状態を示す側面図、図４は、この発明の防護柵用横部材取付金具におけるエンボスに形成された爪を示す側面図、図５は、この発明の防護柵用横部材取付金具により支柱に横部材を取り付けた状態を斜め上方から見た斜視図、図６は、この発明の防護柵用横部材取付金具により支柱に横部材を取り付けた状態を斜め上方から見た別の斜視図、図７は、この発明の防護柵用横部材取付金具により支柱に横部材を取り付けた状態を斜め下方から見た斜視図である。
【００３９】
なお、本実施形態では、横部材をビーム材としているが、これに限定されるものではなく、胴縁材やパネル体枠材等であっても良い。
【００４０】
図１から図７に示すように、この発明の防護柵用横部材取付金具Ｃ（以下、単に、横部材取付金具Ｃという。）は、支柱２を挟むようにして支柱２に取り付けられる一対のビーム取付金具本体１ａ、１ｂからなっている。横部材取付金具本体１ａ、１ｂの両側は、横部材３の外径に合わせて半円筒形状に形成されている。
【００４１】
横部材取付金具本体１ａ、１ｂの中央部の内面には、支柱２に形成した開口４に係合する係合部としてのエンボス１４が形成されている。エンボス１４には、図４に示すように、爪１５が形成されている。詳細については、後述する。横部材取付金具本体１ａ、１ｂにエンボス１４を形成し、エンボス１４を支柱２の開口４に挿入して、爪１５と共に開口４に係合させることによって、従来取付金具ＡおよびＢのように、これらを支柱に固定する固定ボルトが不要となる。
【００４２】
横部材取付金具本体１ａ、１ｂの両端側部には、横部材取付ボルト７が挿通されるボルト孔８が形成されている。
【００４３】
横部材取付金具本体１ａ、１ｂの両端下部には、横部材３の仮置き部９が形成され、仮置き部９間には、間隔（Ｌ１）が形成されている（図３、図７参照）。間隔（Ｌ１）を形成することによって、図７に示すように、横部材３に縦桟１０を取り付ける場合、縦桟１０と横部材取付金具本体１ａ、１ｂとの干渉を防止することができる。
【００４４】
横部材取付金具本体１ａ、１ｂの両端上部コーナー部には、横部材３の端部が挿入される切り欠き１１が形成されている。切り欠き１１を形成することによって、横部材３の仮置き部９への仮置きが容易になる。
【００４５】
支柱２と横部材取付金具本体１ａ、１ｂとの間には、間隔（Ｌ２）が形成されている（図１、図６、図７参照）。この間隔（Ｌ２）を形成することによって、横部材取付金具Ｃを支柱２に取り付けた後、横部材取付金具Ｃを突起５を中心として垂直面内において、所定角度範囲内で傾斜させて取り付けることが可能となる。
【００４６】
横部材取付金具Ｃにより、支柱２に横部材３を取り付けるには、以下のようにする。
【００４７】
先ず、図１、図２に示すように、横部材取付金具本体１ａ、１ｂのエンボス１４を支柱２に形成された開口４に挿入する。これによって、支柱２を挟んでその両側に横部材取付金具本体１ａ、１ｂが仮止めされる。すなわち、エンボス１４には、爪１５が形成され、爪１５が開口４に係合するので、横部材取付金具本体１ａ、１ｂは、支柱２から外れることなく、仮止めされる。
【００４８】
次に、横部材３の端部を横部材取付金具本体１ａ、１ｂの切り欠き１１の上方から仮置き部９上に載置して、横部材３を横部材取付金具本体１ａ、１ｂ（横部材取付金具Ｃ）に仮置きする（図１から図３参照）。
【００４９】
次いで、横部材取付ボルト７を横部材取付金具本体１ａ、１ｂのボルト孔８および横部材３のボルト孔１２に挿通し、ナット１３により固定する。これによって、横部材取付金具Ｃに横部材３が固定されると共に、横部材取付金具本体１ａ、１ｂは、支柱２を挟み付ける状態となるので、横部材取付金具本体１ａ、１ｂは、支柱２にがたつきなく固定される。
【００５０】
以上のようにして、横部材取付金具Ｃにより、支柱２に横部材３を取り付けることができる。
【００５１】
支柱２に横部材取付金具Ｃを傾斜させて取り付けるには、図２中、二点鎖線で示すように、横部材取付金具本体１ａ、１ｂをエンボス１４を中心として回転させれば良い。支柱２と横部材取付金具Ｃとの間には、間隔（Ｌ２）が形成されているので、横部材取付金具Ｃは、所定角度範囲内で突起５を中心として回転させることができる。
【００５２】
また、図７に示すように、横部材取付金具本体１ａ、１ｂの仮置き部９間に間隔（Ｌ１）が形成されているので、横部材３に縦桟１０を取り付ける場合、縦桟１０と横部材取付金具本体１ａ、１ｂとの干渉を防止することができる。
【００５３】
図８は、この発明の防護柵用横部材取付金具におけるエンボスを示す図であり、（ａ）は、平面図、（ｂ）は、正面図、（ｃ）は、側面図であり、図９は、図８に示す係合部による支柱への係合状態を示す図であり、（ａ）は、平面図、（ｂ）は、正面図、（ｃ）は、側面図である。
【００５４】
このエンボス１４は、図８、図９に示すように、横部材取付金具本体１ａ、１ｂの一部を支柱２側に押し出し加工することによって形成され、エンボス１４は、エンボス１４の下部の一部を打ち抜き、打ち抜いた部分を支柱２側に逆Ｌ字状に折り曲げることによって爪１５が形成されている。
【００５５】
このエンボス１４によれば、図９に示すように、エンボス１４を支柱２の開口４に挿入することによって、爪１５が開口４に係合するので、横部材取付金具本体１ａ、１ｂは、支柱２から外れることなく、仮止めされる。
【００５６】
図１０は、この発明の防護柵用横部材取付金具における別のエンボスを示す図であり、（ａ）は、平面図、（ｂ）は、正面図、（ｃ）は、側面図であり、図１１は、図１０に示す係合部による支柱への係合状態を示す図であり、（ａ）は、平面図、（ｂ）は、正面図、（ｃ）は、側面図である。
【００５７】
このエンボス１６は、図１０、図１１に示すように、横部材取付金具本体１ａ、１ｂの一部を支柱２側に押し出し加工することによって形成され、エンボス１６は、エンボス１６の頂部１６ａの下部を外方に突出させることによって爪１７が形成されている。
【００５８】
このエンボス１６によれば、図１１に示すように、エンボス１６を支柱２の開口４に挿入することによって、爪１７が開口４に係合するので、横部材取付金具本体１ａ、１ｂは、支柱２から外れることなく、仮止めされる。
【００５９】
図１２は、この発明の防護柵用横部材取付金具におけるさらに別のエンボスを示す図であり、（ａ）は、平面図、（ｂ）は、正面図、（ｃ）は、側面図であり、図１３は、図１２に示す係合部による支柱への係合状態を示す図であり、（ａ）は、平面図、（ｂ）は、正面図、（ｃ）は、側面図である。
【００６０】
このエンボス１８は、図１２、図１３に示すように、横部材取付金具本体１ａ、１ｂの一部を支柱２側に押し出し加工することによって形成され、エンボス１８は、エンボス１８の頂部１８ａに溶接により固定され、下部が頂部１８ａから下方に突出した、爪としての機能を有する平面状の板材１９を有している。なお、図１２中、板材１９の溶接部を（Ｗ）で示す。なお、この例では、板材１９とエンボス１８との固定を溶接としたが、固定方法は、溶接に限らず、ビス止めやかしめ止め等であっても良い。
【００６１】
このエンボス１８によれば、図１３に示すように、エンボス１８を平面状の板材１９と共に支柱２の開口４に挿入することによって、爪としての機能を有する板材１９が開口４に係合するので、横部材取付金具本体１ａ、１ｂは、支柱２から外れることなく、仮止めされる。
【００６２】
図１４は、この発明の防護柵用横部材取付金具におけるさらに別のエンボスを示す図であり、（ａ）は、平面図、（ｂ）は、正面図、（ｃ）は、側面図であり、図１５は、図１４に示すエンボスによる支柱への係合状態を示す図であり、（ａ）は、平面図、（ｂ）は、正面図、（ｃ）は、側面図である。
【００６３】
このエンボス１８は、図１４、図１５に示すように、横部材取付金具本体１ａ、１ｂの一部を支柱２側に押し出し加工することによって形成され、エンボス１８は、エンボス１８の頂部１８ａに溶接により固定され、下部が頂部１８ａから下方に突出した、支柱２の内面に沿って円弧状に湾曲した、爪としての機能を有する板材２０を有している。なお、図１４中、板材２０の溶接部を（Ｗ）で示す。
【００６４】
このエンボス１８によれば、図１５に示すように、エンボス１８を円弧状の板材２０と共に支柱２の開口４に挿入することによって、爪としての機能を有する板材２０が開口４に係合するので、横部材取付金具本体１ａ、１ｂは、支柱２から外れることなく、仮止めされる。
【００６５】
このエンボス１８によれば、板材２０が支柱２の内面に沿って円弧状に湾曲しているので、板材２０と支柱２とが密着する結果、係合部に生じるガタツキを抑制することができる。
【００６６】
以上、説明したように、この発明によれば、横部材取付金具本体１ａ、１ｂを、爪を有するエンボス１４、１６、１８のみを介して支柱２に取り付けることができ、しかも、横部材３を横部材取付金具本体１ａ、１ｂの仮置き部９に仮置きすることができるので、支柱２への横部材３の取り付けが容易に行えると共に、横部材取付金具本体１ａ、１ｂを支柱２に固定する固定ボルトが不要となるので、外観に優れ、しかも、コストの低減を図ることができる。
【００６７】
また、この発明によれば、横部材取付金具本体１ａ、１ｂの両端上部コーナー部に横部材３の端部が挿入される切り欠き１１を形成することによって、横部材取付金具Ｃへの横部材３の仮置きが容易に行える。
【００６８】
また、この発明によれば、支柱２と横部材取付金具本体１ａ、１ｂとの間に、横部材取付金具本体１ａ、１ｂを支柱に取り付けた後、横部材取付金具本体１ａ、１ｂがエンボス１４、１６、１８を中心として垂直面内において傾斜可能な間隔（Ｌ２）を形成することによって、横部材３を支柱２に傾斜させて取り付けることができる。
【００６９】
また、この発明によれば、仮置き部９間に間隔（Ｌ１）を形成することによって、横部材３に縦桟１０を取り付ける場合に、縦桟１０と横部材取付金具Ｃとの干渉を防止することができる。
【符号の説明】
【００７０】
１ａ、１ｂ：横部材取付金具
２：支柱
３：横部材
４：開口
７：横部材取付ボルト
８：ボルト孔
９：仮置き部
１０：縦桟
１１：切り欠き
１２：ボルト孔
１３：ナット
１４：エンボス
１５：爪
１６：エンボス
１６ａ：頂部
１７：爪
１８：エンボス
１８ａ：頂部
１９：板材
２０：板材
２１：支柱
２２：横部材
２３：受け金具
２４：受け部
２５：被せ金具
２６：被せ部
２７：受け金具取付ボルト
２８：ボルト孔
２９：ボルト孔
３０：ナット
３１：横部材取付ボルト
３２：ボルト孔
３３：ボルト孔
３４：ボルト孔
３５：ナット
３６：貫通孔
３７：支柱
３８：当接面
３９：ボルト孔
４０：横部材
４１：固定ボルト
【要約】
【課題】支柱への横部材の取り付けが容易に行え、しかも、外観に優れた防護柵用横部材取付金具を提供することにある。
【解決手段】支柱２を挟むようにして支柱２に取り付けられる一対の横部材取付金具本体１ａ、１ｂからなり、横部材取付金具本体１ａ、１ｂの両側は、横部材３の外径に合わせて半円筒形状に形成され、横部材取付金具本体１ａ、１ｂの中央部の内面には、支柱２に形成した開口４に係合する突起５が形成され、横部材取付金具本体１ａ、１ｂの両端側部には、横部材取付ボルト７が挿通されるボルト孔８が形成され、横部材取付金具本体１ａ、１ｂの両端下部には、横部材３の仮置き部９が形成され、横部材取付金具本体１ａ、１ｂの両端上部コーナー部には、横部材３の端部が挿入される切り欠き１１が形成されている。
【選択図】図６【図１】
0005805342.tif 000002
【図２】
0005805342.tif 000003
【図３】
0005805342.tif 000004
【図４】
0005805342.tif 000005
【図５】
0005805342.tif 000006
【図６】
0005805342.tif 000007
【図７】
0005805342.tif 000008
【図８】
0005805342.tif 000009
【図９】
0005805342.tif 000010
【図１０】
0005805342.tif 000011
【図１１】
0005805342.tif 000012
【図１２】
0005805342.tif 000013
【図１３】
0005805342.tif 000014
【図１４】
0005805342.tif 000015
【図１５】
0005805342.tif 000016
【図１６】
0005805342.tif 000017
【図１７】
0005805342.tif 000018
【図１８】
0005805342.tif 000019
【図１９】
0005805342.tif 000020
【図２０】
0005805342.tif 000021